(57)【要約】【課題】本発明の一目的は、簡略化された製造を容易にし、少ない構成要素を有し、費用効率が高く、良好な接地接続を容易にし、かつ環境的に耐久性がある回路カード構成体を提供すること。【解決手段】本発明は、組立ポイントを介して取り付けられかつ信号接続および接地接続用の接続ポイントを支持するように配置されるカード要素（１０）を備える回路カード構成体（Ｉ）において、それぞれの組立ポイントならびにそれぞれの接続ポイントが、カード要素（１０）に取り付けられるように配置された金属ブッシング（２１、２２、２３、２４、２５、２６）を備えることを特徴とする。【選択図】  図１ｂ
2014534791.tif 000002
【特許請求の範囲】
【請求項１】
組立ポイントを介して取り付けられかつ信号接続および接地接続用の接続ポイントを支持するように配置されるカード要素（１０）を備える回路カード構成体（Ｉ）において、
それぞれの前記組立ポイントおよびそれぞれの前記接続ポイントが、前記カード要素（１０）に取り付けられるように配置された金属ブッシング（２１、２２、２３、２４、２５、２６）を備えることを特徴とする、回路カード構成体（Ｉ）。
【請求項２】
前記金属ブッシング（２１、２２、２３、２４、２５、２６）が本質的に黄銅で作られる、請求項１に記載の回路カード構成体。
【請求項３】
前記カード要素（１０）の前記ブッシング（２１、２２、２３、２４、２５、２６）を有する前記カード要素（１０）が、成形材料（Ｇ）に埋設されるように配置される、請求項１または２に記載の回路カード構成体。
【請求項４】
前記金属ブッシング（２１、２２、２３、２４、２５、２６）がめねじを備える、請求項１〜３のいずれか一項に記載の回路カード構成体。
【請求項５】
前記金属ブッシング（２１、２２、２３、２４、２５、２６）が多角形断面を有する部分（２１ａ、２２ａ、２３ａ、２４ａ、２５ａ、２６ａ）を備える、請求項１〜４のいずれか一項に記載の回路カード構成体。
【請求項６】
多角形が正六角形である、請求項１〜５のいずれか一項に記載の回路カード構成体。
【請求項７】
前記ブッシングが、はんだ接合部および／またはねじ継手を用いて前記カード要素に取り付けられるように配置される、請求項１〜６のいずれか一項に記載の回路カード構成体。
【請求項８】
前記金属ブッシング（２１、２２、２３、２４、２６）が、組立用および／または信号接続用の貫通孔（２１ｄ、２２ｄ、２３ｄ、２４ｄ、２６ｄ）を備える、請求項１〜７のいずれか一項に記載の回路カード構成体。
【請求項９】
前記カード要素（１０）、および前記ブッシング（２１、２２、２３、２４、２５、２６）の少なくとも一部分が箱（５０）に収容される、請求項１〜８のいずれか一項に記載の回路カード構成体。
【請求項１０】
前記カード要素（１０）が電気フィルタ構成体を支持するように配置される、請求項１〜８のいずれか一項に記載の回路カード構成体。
【発明の詳細な説明】
【技術分野】
【０００１】
本発明は、請求項１の前文に記載の回路カード構成体に関する。
【背景技術】
【０００２】
電気フィルタは一般に、出入りする信号を有しかつシャーシ接地（ｃｈａｓｓｉｓ  ｇｒｏｕｎｄ）に接続される回路カードで構成される。粗末なケーブルクリップ（ｃｏａｒｓｅ  ｃａｂｌｅ  ｃｌｉｐｓ）の接続によるかかるフィルタに関する問題は、剛体ケーブルが回路カード内に破断力を引き起こし、回路カードの積層体が締付けトルクによって与えられる力により壊れることである。
【０００３】
かかるフィルタのケーシングは、気密に対する高い要求を満たすとともに、振動および衝撃の間にすべての部分を所定の位置に保持するものとする。さらに、かかるフィルタは、シャーシ接地に低インピーダンスで接続されることが望ましい。
【０００４】
例えば、回路カードの側面に沿って取り付けられるねじ端子ブロックまたは荷重をカード全体に分散させる補剛銅バー（ｓｔｉｆｆｅｎｉｎｇ  ｂａｒｓ  ｏｆ  ｃｏｐｐｅｒ）へのケーブル接続に関するいくつかの解決法がある。ケーシングは端子ブロックやコネクタなどを収容するために比較的大きくなるという欠点がある。主として、鋳造アルミニウムケーシングおよびＧｏｒｅ−Ｔｅｘ（ゴアテックス）（商標）ベンチレータ（ｖｅｎｔｉｌａｔｏｒ）が、気密および湿気を管理するために使用される。
【０００５】
ねじ蓋またはコネクタは出入りする信号の周りをシールするために使用され、その場合、回路カードをシャーシに接続するためにアース編組（ｅａｒｔｈ  ｂｒａｉｄ）などが使用される。あるいは、回路カードは、回路カードの組立スペーサを介して接地され、その結果、接触抵抗を有する多くの接触面が得られる。
【０００６】
米国特許出願公開第２００３０６７７５１号明細書は、コーナ支持金属ピンボルトを有するプラスチック製の内側ハウジングと金属外箱とを備える、車両用の電気制御ユニットのハウジングを示している。金属ピンボルトは、ステップが回路カードの表面に当たるまで回路カードの対応する開口部を通って押圧されるように配置される。この技法により、回路カードとピンボルトとの間の機械的に堅牢で導電性の接続が得られる。
【発明の概要】
【発明が解決しようとする課題】
【０００７】
本発明の一目的は、簡略化された製造を容易にし、少ない構成要素を有し、費用効率が高く、良好な接地接続を容易にし、かつ環境的に耐久性がある回路カード構成体を提供することである。
【課題を解決するための手段】
【０００８】
以下の記述から明らかなこれらおよびその他の目的は、序文として記載されているタイプのものであり、加えて添付の請求項１の特徴部分に記載されている特徴を呈する回路カード構成体によって達成される。カード回路構成体の好ましい諸実施形態は、添付の従属請求項２〜１０に定義されている。
【０００９】
具体的には、本発明の一目的は、組立ポイントを介して取り付けられかつ信号接続および接地接続用の接続ポイントを支持するように配置されるカード要素を備える回路カード構成体において、それぞれの組立ポイントならびにそれぞれの接続ポイントが、カード要素に取り付けられるように配置された金属ブッシングを備える、回路カード構成体によって達成される。これにより、ごく少数の構成要素しか必要とされず、端子ブロック、アース編組、ねじ蓋またはコネクタは不要である。これにより製造は簡略化されることになる。さらに、すべてのブッシングが同じように製作されうるので、一様な製造が容易になる。加えて、より安価な構成要素が使用されてもよい。これにより、前記接続ポイントから例えば車両シャーシ内の接地への直接接続が容易になり、接続ポイントが組立ポイントを構成することができるのと同時に、低インピーダンス、すなわち低い接触抵抗が得られる。
【００１０】
回路カード構成体の一実施形態によれば、前記金属ブッシングは本質的に黄銅で作られる。これにより、良好な電気接触およびはんだ付け性が促進される。
【００１１】
回路カード構成体の一実施形態によれば、前記ブッシングは、はんだ接合部（ｓｏｌｄｅｒｅｄ  ｊｏｉｎｔｓ）および／またはねじ継手（ｓｃｒｅｗ  ｊｏｉｎｔｓ）を用いてカード要素に取り付けられるように配置される。はんだ接合部はフィルタの合理的な製造をもたらす。はんだ接合部は、時間とともに損なわれない低い接触抵抗をもたらす。ねじ継手を使用することにより、ブッシングの除去が容易になる。さらに、強力な接合が容易になる。
【００１２】
回路カード構成体の一実施形態によれば、カード要素のブッシングを有するカード要素は、成形材料（ｃａｓｔ  ｃｏｍｐｏｕｎｄ）に埋設されるように配置される。成形材料を使用することにより、ブッシングは回転を妨げられ、該当する場合、すなわちはんだ接合部が使用された場合に、はんだ付けされた継ぎ目を保護する。さらに、成形材料は、カード要素／回路カード構成体が、例えば剛体ケーブルからの荷重や振動などに耐えるように、安定性を与える。成形材料は、回路カード構成体の構造強度を高める。さらに環境耐久性が改善される。
【００１３】
回路カード構成体の一実施形態によれば、前記金属ブッシングは多角形断面を有する部分を備える。多角形断面を有する前記部分はさらに、多角形断面を有する前記部分が成形材料内に配置されたときにブッシングの回転を妨げることに寄与する。
【００１４】
回路カード構成体の一実施形態によれば、前記多角形は正六角形である。成形材料内でのブッシングの回転が妨げられるのに加えて、例えば自在スパナを用いてブッシングをねじ込むことも容易になる。
【００１５】
回路カード構成体の一実施形態によれば、前記金属ブッシングはめねじを備える。これにより、ケーブルクリップを取り付けるためのねじの挿入が容易になる。
【００１６】
回路カード構成体の一実施形態によれば、前記金属ブッシングは、前記組立および／または信号接続用の貫通孔を備える。このことは、組立てを簡略化するとともに信号接続を容易にする。これにより、はんだ接合部のねじり応力の低減が、薄ナット（ｊａｍ  ｎｕｔ）付きのねじ継手を使用することにより促進されて、カード要素は、当て盤としてではなく薄ナットとして使用されるようにする。
【００１７】
回路カード構成体の一実施形態によれば、前記カード要素、および前記ブッシングの少なくとも一部分が箱に収容される。これにより、回路カード構成体の構造強度がさらに高められ、より堅固な構造が得られる。箱は、成形材料が使用された場合、硬化プロセス中に成形材料を所定の位置に保つ。箱は、注入成形型としても利用され、続いて除去されてもよい。
【００１８】
回路カード構成体の一実施形態によれば、カード要素は電気フィルタ構成体を支持するように配置される。
【００１９】
本発明は、下記の詳細な説明を添付図面とともに読んだときによりよく理解され、複数の図面を通じて類似の参照符号は類似の部分を意味する。
【図面の簡単な説明】
【００２０】
【図１ａ】本発明の一実施形態による回路カード構成体の平面図を概略的に示している。
【図１ｂ】図１ａにおける回路カード構成体のＡ−Ａ断面図を概略的に示している。
【図２ａ】図１ａにおける回路カード構成体の上から斜めに見た斜視図を概略的に示している。
【図２ｂ】図１ａにおける回路カード構成体の下から斜めに見た斜視図を概略的に示している。
【図３】図１ａにおける回路カード構成体の一部の上から斜めに見た斜視図を概略的に示している。
【発明を実施するための形態】
【００２１】
図１ａ、図１ｂおよび図２ａ、図２ｂは、本発明の一実施形態による回路カード構成体Ｉの種々の図を概略的に示し、図３は、図１ａにおける回路カード構成体Ｉの一部の、実際のケーシング／箱のない状態および／または保護合成物のない状態での上から斜めに見た斜視図を概略的に示す。
【００２２】
回路カード構成体Ｉはカード要素１０を備える。回路カード構成体Ｉは複数の組立ポイントをさらに備え、カード要素１０は、組立ポイントに取り付けられるように配置される。回路カード構成体Ｉは、カード要素上に配置された電気部品１２を備え、電気部品１２は、コンデンサ、インダクタ（コイル）、フェライト、ダイオードおよびその他の半導体、抵抗器、バリスタとその他の過渡・過電圧保護部品などの任意の適当な構成要素で構成されうる。回路構成体Ｉは、信号を有する電流がフィルタにかけられるための信号ケーブル１５を備え、信号ケーブル１５はカード要素１０に電気的に接続される。
【００２３】
回路カード構成体Ｉは、カード要素１０に固定して配置された金属ブッシング２１、２２、２３、２４、２５、２６を備える。前記金属ブッシング２１、２２、２３、２４、２５、２６は、一実施形態によれば、はんだ接合部を用いてカード要素１０に直接取り付けられるように配置される。前記金属ブッシング２１、２２、２３、２４、２５、２６は、一実施形態によれば、ねじ継手を用いてカード要素１０に直接取り付けられるように配置される。前記金属ブッシング２１、２２、２３、２４、２５、２６は、一実施形態によれば、はんだ接合部および／またはねじ継手を用いてカード要素１０に直接取り付けられるように配置される。
【００２４】
一実施形態によれば、前記金属ブッシング２１、２２、２３、２４、２５、２６は回転させられる。一実施形態によれば、前記金属ブッシング２１、２２、２３、２４、２５、２６は本質的に黄銅で作られる。
【００２５】
一実施形態によれば、前記金属ブッシング２１、２２、２３、２４、２５、２６のうちの１つまたは複数がめねじを備える。
【００２６】
一実施形態によれば、前記金属ブッシング２１、２２、２３、２４、２５、２６はそれぞれ、多角形断面を有する部分２１ａ、２２ａ、２３ａ、２４ａ、２５ａ、２６ａを備える。例えば図３に示されている実施形態によれば、前記多角形は正六角形である。
【００２７】
一実施形態によれば、前記金属ブッシング２１、２２、２３、２４、２６は、前記組立および／または信号接続用の貫通孔を備える。
【００２８】
図１ａ、図１ｂ、図２ａ、図２ｂおよび図３に示されている実施形態による回路カード構成体Ｉは、組立接地（ａｓｓｅｍｂｌｙ  ｇｒｏｕｎｄ）に組み付けるための組立ポイントを含む１組の金属ブッシング２１、２２、２３、２４を備え、前記組立接地は、一実施形態によれば車両シャーシで構成される。
【００２９】
組立ポイントを備える前記金属ブッシング２１、２２、２３、２４の組は、第１の組立ブッシング２１、第２の組立ブッシング２２、第３の組立ブッシング２３、第４の組立ブッシング２４を備える。
【００３０】
カード要素１０は、図１ａ、図１ｂ、図２ａ、図２ｂおよび図３に示されている実施形態によれば、上側１０ａおよび下側１０ｂと、４つの側縁部１０ｃ、１０ｄ、１０ｅ、１０ｆと、その結果として４つのコーナと、を有する本質的に正方形の形状を有する。
【００３１】
前記第１の組立ブッシング２１はカード要素１０の第１のコーナの領域内に配置され、前記第２の組立ブッシング２２はカード要素１０の第２のコーナの領域内に配置され、前記第３の組立ブッシング２３はカード要素１０の第３のコーナの領域内に配置され、前記第４の組立ブッシング２４はカード要素１０の第４のコーナの領域内に配置される。
【００３２】
前記第１の組立ブッシング２１、前記第２の組立ブッシング２２、前記第３の組立ブッシング２３、および前記第４の組立ブッシング２４は、前記カード要素２０を上側１０ａから下側１０ｂに通り抜けるように配置される。
【００３３】
前記第１の組立ブッシング２１、前記第２の組立ブッシング２２、前記第３の組立ブッシング２３および前記第４の組立ブッシング２４はそれぞれ、六角形断面を有する上部２１ａ、２２ａ、２３ａおよび２４ａを有する。したがって、前記上部２１ａ、２２ａ、２３ａ、２４ａは六角形の外形を有する。
【００３４】
前記第１の組立ブッシング２１、前記第２の組立ブッシング２２、前記第３の組立ブッシング２３および前記第４の組立ブッシング２４は、カード要素１０の下側１０ｂから突出するように配置される。前記第１の組立ブッシング２１、前記第２の組立ブッシング２２、前記第３の組立ブッシング２３および前記第４の組立ブッシング２４はそれぞれ、下側から突出する組立部分２１ｂ、２２ｂ、２３ｂおよび２４ｂを備える。前記上部２１ａ、２２ａ、２３ａ、２４ａはそれぞれ、下側から突出する前記組立部分２１ｂ、２２ｂ、２３ｂ、２４ｂよりも大きい周囲を有する。
【００３５】
下側から突出する第１の組立ブッシング２１の組立部分２１ｂおよび第２の組立ブッシング２２の組立部分２２ｂは、下部において、一変形形態によれば絶縁収縮管材料で構成される絶縁ケーシング２１ｃ、２２ｃで取り囲まれ、絶縁ケーシング２１ｃ、２２ｃは、後述するケーブルクリップ３２が何らかの理由で側面の方へ向けられるべき場合に短絡から保護するように配置される。
【００３６】
前記第１の組立ブッシング２１、前記第２の組立ブッシング２２、前記第３の組立ブッシング２３および前記第４の組立ブッシング２４はそれぞれ、貫通孔２１ｄ、２２ｄ、２３ｄおよび２４ｄを有する。前記第１の組立ブッシング２１、前記第２の組立ブッシング２２、前記第３の組立ブッシング２３および前記第４の組立ブッシング２４は、一実施形態によれば、ねじ継手を用いてシャーシに取り付けられるように配置され、一変形形態によれば、ねじが、好ましくはねじ付きでない貫通孔から挿入され、そして接地／シャーシ内の物品のねじ付き孔の中に取り付けられるように配置され、これにより回路カード構成体全体が所定の位置に保持される。
【００３７】
その結果、前記第１の組立ブッシング２１、前記第２の組立ブッシング２２、前記第３の組立ブッシング２３および前記第４の組立ブッシング２４は、シャーシとの前記接続によって接地接続をさらに構成する。これにより、下側から突出する第１の組立ブッシング２１の組立部分２１ｂ、第２の組立ブッシング２２の組立部分２２ｂ、第３の組立ブッシング２３の組立部分２３ｂおよび第４の組立ブッシング２４の組立部分２４ｂもまた接地接続用の接続部分を構成し、低過渡インピーダンスが促進される。したがって、前記第１の組立ブッシング２１、前記第２の組立ブッシング２２、前記第３の組立ブッシング２３および前記第４の組立ブッシング２４は、組立機能と接続機能の両方を有する。
【００３８】
図１ａ、図１ｂ、図２ａ、図２ｂおよび図３に示されている実施形態による回路カード構成体Ｉは、信号接続用の金属ブッシング２５を備え、ケーブル１５は信号接続ブッシング２５に接続され、信号は、カード要素からケーブル１５へ進むように配置される。
【００３９】
信号接続ブッシング２５は、カード要素１０を上側から下側へ通り抜けるように配置される。前記信号接続ブッシング２５は、カード要素の上側１０ａから突出する上部２５ａおよびカード要素１０の下側１０ｂから突出する下部２５ｂを有する。前記信号接続ブッシング２５は、信号ケーブルに接続されたケーブルクリップのねじ継手を用いて接続するためのめねじを有する、上部２５ａの端部から走る止まり穴２５ｄを有する。信号接続ブッシング２５は信号ケーブル１５に接続され、信号接続ブッシングおよび信号ケーブル１５は、比較的低い電流強度を有する信号に適応している。
【００４０】
前記信号接続ブッシング２５の上部２５ａは六角形断面を有する。したがって、前記上部２５ａは六角形の外形を有する。前記上部２５ａは、下側１０ｂから突出する前記部分２５ｂよりも大きい周囲を有する。
【００４１】
図１ａ、図１ｂ、図２ａ、図２ｂおよび図３に示されている実施形態による回路カード構成体Ｉは、この場合は信号接続ブッシング２６と呼ばれる、入出力信号用のケーブルクリップ３０、３２に接続されたケーブルを接続するための金属ブッシング２６を備える。
【００４２】
信号接続ブッシング２６は、カード要素１０を上側から下側へ通り抜けるように配置される。前記信号接続ブッシング２６は、カード要素１０の上側１０ａから突出する上部２６ａおよびカード要素１０の下側１０ｂから突出する下部２６ｂを有する。前記信号接続ブッシング２６は、信号ケーブル３５、３７に接続されたケーブルクリップ３０、３２のねじ継手４０を用いて接続するための上部２６ａの端部から走る貫通孔２６ｄを有する。この実施形態によれば、ねじ４１を備えるねじ継手４０は、ねじ４１が上部２６ａの開口部を通って突出するように、下部２６ｂの開口部２６ｄから前記貫通孔２６ｄを通ってねじ込まれるように配置される。
【００４３】
信号ケーブル３５に導電接続されたケーブルクリップ３０は、ねじ継手４０のナット４２を用いて信号接続ブッシング２６の上部２６ａで接続されるように配置される。信号ケーブル３７に導電接続されたケーブルクリップ３２は、ねじ継手４２のねじを用いて信号接続ブッシング２６の下部２６ｂで接続されるように配置される。これにより、前記ケーブル３５、３７の一方が入力信号用に配置され、前記ケーブル３５、３７の他方が出力信号用に配置される。前記入力信号および出力信号は、回路カード構成体を用いてフィルタにかけられるように配置される。前記ケーブル３５、３７および信号接続ブッシング２６は、ケーブル１５および信号接続ブッシング２５に比べて高い電流強度を有する信号に適応している。
【００４４】
前記信号接続ブッシング２６の上部２６ａは六角形断面を有する。したがって、前記上部２６ａは六角形の外形を有する。前記上部２６ａは、下側から突出する前記下部よりも大きい周囲を有する。
【００４５】
一実施形態による回路カード構成体Ｉは箱５０を備える。箱５０は、上側５０ａおよび周囲の側面５０ｃ、５０ｄ、５０ｅ、５０ｆを有する。箱５０は、ブッシングが設けられたカード要素１０を上側から受容するためのものである。箱５０はさらに、カード要素１０と前記ブッシング２１、２２、２３、２４、２５、２６の少なくとも一部分とを収容するように配置される。箱５０は、一実施形態によればプラスチック材料で作られる。
【００４６】
箱５０の上側５０ａは開口部を有し、前記組立ブッシング２１、２２、２３、２４の上部２１ａ、２２ａ、２３ａ、２４ａは、開口部を通って突出するように配置される。さらに、箱５０の上側は、前記信号接続ブッシング２６を取り囲むように配置された開口部を有し、ねじ継手４０の前記ねじ４１は、信号ケーブルに接続された組付済みケーブルクリップ３２のそばで前記開口部を通って突出するように配置される。加えて、箱５０の上側５０ａは、前記信号接続ブッシング２５を取り囲むように配置された開口部を有し、ねじ継手のねじ（図示せず）は、接地ケーブル（図示せず）に接続された組付済みケーブルクリップのところで前記開口部を通って突出するように配置される。
【００４７】
前記ブッシング２１、２２、２３、２４、２５、２６が設けられた前記カード要素の挿入は下から行われる。あるいは、上側は開放しており、下側は閉鎖されており、ブッシング２１、２２、２３、２４、２５、２６が設けられたカード要素１０は上から前記箱５０内に挿入されるように配置される。
【００４８】
図１ｂから明らかな一実施形態によれば、ブッシング２１、２２、２３、２４、２５、２６を有するカード要素１０は成形材料Ｇに埋設されるように配置され、成形材料は電気的に絶縁していて、好ましくは耐水性であり、一定の柔軟性が許容されるように完全に非弾性ではなく優れた接着性および高い構造強度を有するが、構造、すなわち、成形材料Ｇが硬化されるときにブッシング２１、２２、２３、２４、２５、２６が設けられたカード要素１０を一緒に保持するのに十分な剛性を有する。成形材料は、一変形形態によれば、いわゆるＳｙｔｃａｓｔ  Ｕ２５００で構成される。
【００４９】
箱５０内の補強成形材料Ｇは底部内に箱５０の下側５０ｂを形成する。箱５０の下側５０ｂは開口部を有し、前記組立ブッシング２１、２２、２３、２４の組立部分２１ｂ、２２ｂ、２３ｂ、２４ｂは開口部を通って突出するように配置される。さらに、箱５０の下側５０ｂは、前記接続ブッシング２６を取り囲むように配置された開口部を有し、ねじ継手４０の前記ねじ４１は、信号ケーブルに接続された組付済みケーブルクリップ３０のところで前記開口部を通って突出するように配置される。
【００５０】
前記成形材料Ｇは、ブッシング２１、２２、２３、２４、２５、２６が設けられたカード要素が下面から箱５０内に挿入されてから挿入されるように配置され、前記成形材料は、カード要素内の開口部ならびに箱の壁５０ｃ、５０ｄ、５０ｅ、５０ｆとカード要素１０との間の開口部から充填されることができる。一変形形態によれば、前記成形材料Ｇは、ブッシング２１、２２、２３、２４、２５が設けられたカード要素１０が箱５０内に挿入される前に挿入される。
【００５１】
成形材料Ｇにより振動耐久性が改善される。箱５０および成形材料Ｇにより、回路カード構成体Ｉの堅固な構造が得られる。
【００５２】
一変形形態によれば、回路カード構成体Ｉは成形材料を有しておらず、カード要素は、構成要素およびはんだ接合部を湿気および腐食から保護する目的に適したワニスが塗られる。これにより、回路カード構成体の重量は、成形材料を有する回路カード構成体に比べて軽減される。これにより、ブッシング２１、２２、２３、２４、２５、２６が設けられたカード要素１０は下面から前記箱５０内に挿入され、別個の下側５０ｂが密封塗布され、下側はブッシングの突出部ための開口部を有する。
【００５３】
あるいは、ブッシングを有するカード要素は上から挿入され、上側５０ａは、密封塗布されている別個の上側を構成する。
【００５４】
別の変形形態によれば、前記箱５０はモールドで構成され、モールドとして成形された箱５０は、成形材料Ｇが、ブッシング２１、２２、２３、２４、２５、２６が設けられたカード要素１０の周囲を補強した後で除去されて、補強成形材料Ｇが両方の外部保護を構成しかつ構造強度を高めるようにする。
【００５５】
ブッシング２１、２２、２３、２４、２５、２６、この場合はそれぞれのブッシングの上部２１ａ、２２ａ、２３ａ、２４ａ、２５ａ、２６ａが六角形断面を有しているので、ブッシングは成形材料Ｇ内に良好に保持される。というのは、ブッシング２１、２２、２３、２４、２５、２６の回転が妨げられるからである。一変形形態によれば、ブッシング２１、２２、２３、２４、２５、２６は六角形要素から作られ、この場合、部分２１ｂ、２２ｂ、２３ｂ、２４ｂ、２５ｂ、２６ｂは回転によって設けられる。さらに、はんだ付けされた継ぎ目は、当該ブッシングがはんだ付けされた継ぎ目で取り付けられる場合に、六角形部分によって保護される。
【００５６】
一実施形態によれば、カード要素１０は、電気フィルタ構成体を支持するように配置される。したがって、この変形形態による回路構成体Ｉはフィルタ構成体を備える。
【００５７】
本発明による上記の回路カード構成体Ｉは、金属ブッシング２１、２２、２３、２４、２５、２６を備える組立ポイントを介して取り付けられるように配置されたカード要素１０を備える図１ａ、図１ｂ、図２ａ、図２ｂおよび図３に関連して説明されており、この場合、前記カード要素１０は、金属ブッシング２１、２２、２３、２４、２５、２６を用いて信号接続および接地接続用の接続ポイントを支持するように配置される。これにより、それぞれの組立ポイントならびにそれぞれの接続ポイントは、少なくとも１つの金属ブッシング２１、２２、２３、２４を備える。したがって、それぞれのブッシング２１、２２、２３、２４、２５、２６は、回路構成体Ｉを例えばシャーシに取り付けるための組立ポイントとして、および／または、信号接続または接地接続用の接続ポイントとして使用されてもよい。
【００５８】
本発明による回路カード構成体Ｉは、厚いケーブル、例えば５ｍｍ以上の厚みを有するケーブルであり、ブッシングが必要とされ、厚いケーブルが高電流強度に必要とされる、すべての回路カード組立電子回路に有利に使用されうる。回路カード構成体は、覆われる必要のない優れた接地接続および環境耐久性が求められる場合に、さらに有利に使用されうる。例えば、回路カード構成体Ｉには、最大で３０ＭＨｚの周波数をもつフィルタ構成体が包含／構成されうる。回路カード構成体Ｉは、電流シャントやコネクタなどにも使用可能である。
【００５９】
本発明の好ましい実施形態に関する先の記述は、例示および説明のために提供されている。この記述は、網羅的とする、あるいは本発明を開示されている正確な形に限定するものではない。明らかに、多くの修正形態および変形形態は当業者には明白であろう。実施形態は、本発明の原理および本発明の実際の応用例を最もよく説明するために選択され記述されており、それにより、他の当業者は、本発明を、様々な実施形態のために、かつ予期される特定の用途に適している様々な修正形態で理解することが可能になる。
【図１ａ】
2014534791.tif 000003
【図１ｂ】
2014534791.tif 000004
【図２ａ】
2014534791.tif 000005
【図２ｂ】
2014534791.tif 000006
【図３】
2014534791.tif 000007
【国際調査報告】
2014534791.tif 000008
2014534791.tif 000009
2014534791.tif 000010
2014534791.tif 000011